(57)【要約】【課題】画像の劣化を抑えながら、画像を高速に、低容量に圧縮する画像処理方法および画像表示システムを提供する。【解決手段】ステップＳ１１で画面全体を取り込み、ステップＳ２１で画面の変化領域を算出する。次いでステップＳ１３にて取り込む画像を表示しているアプリケーションを検出する。そのアプリケーションに応じてステップＳ１５の圧縮方式の選択を最適化することによって、画像の劣化を抑えながら、画像を高速、低容量に圧縮する。【選択図】        図１
2004312584.tif 000002
【特許請求の範囲】
【請求項１】
画像信号発生装置の画像を圧縮する画像処理方法であって、前記画像信号発生装置の表示する領域毎に、前記画像信号発生装置が画像を生成するプログラムを検出するステップと、
検出したプログラムに応じて圧縮方法を選択するステップと、
前記画像信号発生装置の生成する画像を選択された圧縮方法に応じて圧縮するステップとを備えることを特徴とする画像処理方法。
【請求項２】
前記圧縮ステップは、各表示領域毎に前記画像信号発生装置の生成する画像を圧縮する方法であることを特徴とする請求項１に記載の画像処理方法。
【請求項３】
前記検出したプログラムに応じて圧縮方法を選択するステップは、検出したプログラムが複数ある場合、複数の中から１つを選択し、圧縮方法を選択するステップであることを特徴とする請求項１に記載の画像処理方法。
【請求項４】
前記画像信号発生装置は、パーソナルコンピュータであることを特徴とする請求項１〜３のいずれか１項に記載の画像処理方法。
【請求項５】
画像信号発生装置の画像を圧縮する画像処理方法であって、前記画像信号発生装置の表示する領域毎に、前記画像信号発生装置が画像を生成するプログラムを検出するステップと、
検出したプログラムに応じて圧縮率を選択するステップと、
前記画像信号発生装置の生成する画像を選択された圧縮率に応じて圧縮するステップと、を備えることを特徴とする画像処理方法。
【請求項６】
前記圧縮ステップは、各表示領域毎に前記画像信号発生装置の生成する画像を圧縮する方法であることを特徴とする請求項５に記載の画像処理方法。
【請求項７】
前記検出したプログラムに応じて圧縮率を選択するステップは、検出したプログラムが複数ある場合、複数の中から１つを選択し、圧縮率を選択するステップであることを特徴とする請求項５に記載の画像処理方法。
【請求項８】
前記圧縮率を選択するステップは、
検出したプログラムが動画再生ソフトウェアの場合、再生される動画のビットレートが高ければ圧縮率を小さく、ビットレートが低ければ圧縮率を大きくすることを特徴とする請求項５に記載の画像処理方法。
【請求項９】
前記画像信号発生装置は、パーソナルコンピュータであることを特徴とする請求項５〜８のいずれか１項に記載の画像処理方法。
【請求項１０】
前記圧縮するステップは、ＪＰＥＧ圧縮であることを特徴とする請求項９に記載の画像処理方法。
【請求項１１】
画像信号を発生する画像信号発生装置と、
発生した画像信号を送信する送信装置と、
前記送信装置から送信された画像を受信して表示する表示装置とを備えた画像表示システムにおいて、
前記画像発生装置は、発生する画像を取り込み、動作しているプログラムに応じて選択された圧縮方式で圧縮する圧縮手段を備え、
前記送信装置は、選択された圧縮方式と圧縮画像を送信するものであり、
前記表示装置は、送信された圧縮画像を圧縮方式に応じて伸張する伸張手段を備えることを特徴する画像表示システム。
【請求項１２】
前記画像信号発生装置は、パーソナルコンピュータであることを特徴とする請求項１１に記載の画像表示システム。
【請求項１３】
前記画像表示装置は、プロジェクタである請求項１１または請求項１２に記載の画像表示システム。
【発明の詳細な説明】
【０００１】
【発明の属する技術分野】
本発明は、画像処理方法および画像表示システムに関し、特に、画像発生装置の生成する画像を圧縮する画像の圧縮方法および、送信元で画像を圧縮した後、受信先で伸張して画像を表示する画像表示システムに関する。
【０００２】
【従来の技術】
従来から画像の情報や、通信路の状況によって圧縮方法を動的に変えて画像を伝送する画像処理方法が考案されている。例えば特許文献１に記載された方法（第１の方法）が知られている。この方法は、図１２に符号化装置１２１を示すように、圧縮方式を切り替えるためのスイッチＳＷ１、ＳＷ２、予測符号化器１２２、可変長符号化器１２３及びＭＰＥＧ符号化器１２４を有している。この方法では、まず、メモリから読み出した領域の内、動きのある領域を検出する。次に、検出した領域のヒストグラム処理を施すことで、自然画に近いか否かを判断し、その判断結果に基づいてスイッチＳＷ１およびＳＷ２を切り替える。これによって、動画の場合はＭＰＥＧ符号化器１２４でＭＰＥＧ符号化を、その他の場合は予測符合化器１２２と可変長符号化器１２３とによって圧縮することができる。
【０００３】
又特許文献２には、画像データをネットワークを介して送信する場合に、ネットワークにおけるデータ伝送速度を算出し、算出されたデータ伝送速度に基づいて送信すべき画像データを減少させるようにした発明（第２の方法）が示されている。この発明ではデータ量を減少させ送信時間が一定となるように、画像データをリサイズしたり圧縮率を変化するようにした方法が示されている。
【０００４】
【特許文献１】
特開平１０−１４５７９６号公報  ９頁〜１０頁
【特許文献２】
特開２００１−３６６５５号公報
【０００５】
【発明が解決しようとする課題】
しかしながら、第１の方法では、ヒストグラムから判定するために、自然画領域を判定するために時間を要する、また判定を間違えることが頻繁に起こるため、高速化が困難である。また、第２の方法では、伝送速度に応じて画像の圧縮率を可変するために、高速な転送を実現できるが、画像の特徴を無視して圧縮率を変えるために画像歪が生じやすいという欠点があった。
【０００６】
本発明は上記従来の問題点を解決するもので、画像の劣化を抑えながら、画像を高速に、容量をより小さく圧縮する画像処理方法および画像表示システムを提供することを目的とする。
【０００７】
【課題を解決するための手段】
本願の請求項１の発明は、画像信号発生装置の画像を圧縮する画像処理方法であって、前記画像信号発生装置の表示する領域毎に、前記画像信号発生装置が画像を生成するプログラムを検出するステップと、検出したプログラムに応じて圧縮方法を選択するステップと、前記画像信号発生装置の生成する画像を選択された圧縮方法に応じて圧縮するステップと、を備えることを特徴とする。
【０００８】
本願の請求項２の発明は、請求項１の画像処理方法において、前記圧縮ステップは、各表示領域毎に前記画像信号発生装置の生成する画像を圧縮する方法であることを特徴とする。
【０００９】
本願の請求項３の発明は、請求項１の画像処理方法において、前記検出したプログラムに応じて圧縮方法を選択するステップは、検出したプログラムが複数ある場合、複数の中から１つを選択し、圧縮方法を選択するステップであることを特徴とする。
【００１０】
本願の請求項４の発明は、請求項１型３のいずれか１項の画像処理方法において、前記画像信号発生装置は、パーソナルコンピュータであることを特徴とする。
【００１１】
本願の請求項５の発明は、画像信号発生装置の画像を圧縮する画像処理方法であって、前記画像信号発生装置の表示する領域毎に、前記画像信号発生装置が画像を生成するプログラムを検出するステップと、検出したプログラムに応じて圧縮率を選択するステップと、前記画像信号発生装置の生成する画像を選択された圧縮率に応じて圧縮するステップと、を備えることを特徴とする。
【００１２】
本願の請求項６の発明は、請求項５の画像処理方法において、前記圧縮ステップは、各表示領域毎に前記画像信号発生装置の生成する画像を圧縮する方法であることを特徴とする。
【００１３】
本願の請求項７の発明は、請求項５の画像処理方法において、前記検出したプログラムに応じて圧縮率を選択するステップは、検出したプログラムが複数ある場合、複数の中から１つを選択し、圧縮率を選択するステップであることを特徴とする。
【００１４】
本願の請求項８の発明は、請求項５の画像処理方法において、前記圧縮率を選択するステップは、検出したプログラムが動画再生ソフトウェアの場合、再生される動画のビットレートが高ければ圧縮率を小さく、ビットレートが低ければ圧縮率を大きくすることを特徴とする。
【００１５】
本願の請求項９の発明は、請求項５〜８のいずれか１項の画像処理方法において、前記画像信号発生装置は、パーソナルコンピュータであることを特徴とする。
【００１６】
本願の請求項１０の発明は、請求項９の画像処理方法において、前記圧縮するステップは、ＪＰＥＧ圧縮であることを特徴とする。
【００１７】
本願の請求項１１の発明は、画像信号を発生する画像信号発生装置と、発生した画像信号を送信する送信装置と、前記送信装置から送信された画像を受信して表示する表示装置とを備えた画像表示システムにおいて、前記画像発生装置は、発生する画像を取り込み、動作しているプログラムに応じて選択された圧縮方式で圧縮する圧縮手段を備え、前記送信装置は、選択された圧縮方式と圧縮画像を送信するものであり、前記表示装置は、送信された圧縮画像を圧縮方式に応じて伸張する伸張手段を備えることを特徴する。
【００１８】
本願の請求項１２の発明は、請求項１１の画像表示システムにおいて、前記画像信号発生装置は、パーソナルコンピュータであることを特徴とする。
【００１９】
本願の請求項１３の発明は、請求項１１または請求項１２の画像表示システムにおいて、前記画像表示装置は、プロジェクタであることを特徴とする。
【００２０】
【発明の実施の形態】
（実施の形態１）
本発明の実施の形態１による画像処理方法について説明する。本実施の形態ではパーソナルコンピュータ（以下、ＰＣという）上で表示している画像を連続して取り込み圧縮するものとする。図２は本実施の形態の画像処理装置の構成を示すブロック図、図３はＰＣの画面を模式的に表したものである。
【００２１】
図２においてＣＰＵ１１がバスライン１２に接続される。バスライン１２にはメモリ１３、ディスプレイ１４が接続され、又入力部１５やグラフィックアダプタ１６も接続されて画像再生装置が構成されている。
【００２２】
また図３は、このパーソナルコンピュータ１０のディスプレイ１４上の画面２１に文書作成ソフトウェア（以下、ソフトという）Ａの表示領域２２、動画表示ソフトＥの表示領域２３があることを示している。領域２４は文書作成ソフトＡ、動画再生ソフトＥが表示されていない背景領域を示している。
【００２３】
次に本実施の形態の画像処理方法について図１のフローチャートを用いて詳しく説明する。まず、ステップＳ１１では、ＰＣの画面２１全体の内容をＰＣのメモリ上に取り込む。ステップＳ１２では、取り込んだ画面全体の内容と、前回取り込んだ内容とを比較し、変化点の座標を算出し、画面の変化領域を算出する。図４は変化領域の算出方法の例を説明するための図である。ここで、図４上の×印は、前回取り込んだ画面と、今回取り込んだ画面の変化があった画素である。変化領域は、画面の変化があった画素を全て含むような矩形を算出することで得られる。図４は算出した変化領域２５の例を示している。ただし、初回の取り込み時は前回取り込んだ画面が存在しないため、全画面を変化領域とする。
【００２４】
さてステップＳ１３において、算出した変化領域２５が、例えばＰＣの画面上で文書作成ソフトＡの表示領域２２に完全に含まれている場合には、変化しているアプリケーションとして文書作成ソフトＡを検出する。変化領域２５が図４に示すように背景領域２４、文書作成ソフトＡの表示領域２２、動画再生ソフトＥの表示領域２３の全てに重なっている場合には、重なっている部分毎に分割して、アプリケーションを検出し、以降の処理ステップを行う。
【００２５】
ステップ１４では、検出されたアプリケーションをリストから検索する。このリストの例を図５に示す。アプリケーションが検出されない場合、背景領域２４の場合は、図５のリストでは、その他が選択される。
【００２６】
このリストはあらかじめ登録されたプログラムと圧縮方式を対応付けたリストである。例えば、検出したプログラムが文書作成ソフトＡであれば、リストが参照され、ステップ１５にて圧縮方式としてＰＮＧ圧縮が選択される。文書を作成するプログラムの場合、表示される画像は色数が少ないことが多く、ＰＮＧ圧縮を用いることで高速かつ歪なしに圧縮後の容量を抑えることができる。従って図５のリストでは文書作成ソフトＡおよび文書作成ソフトＤをＰＮＧ圧縮としている。また画像表示ソフトの場合、自然画を扱うことが多いため、自然画に適したＪＰＥＧ圧縮を用いる。また動画表示ソフトの場合、自然画かつ前画面との相関があることが多いため、ＭＰＥＧ圧縮のようにフレーム間差分を用いる圧縮方式を選択する。さらに、その他のアプリケーションや背景画像の場合には、様々な画像に対して平均的に歪が少なく高速の圧縮方式、例えばベクトル量子化の圧縮を選択する。このように検索した図３のリストに応じて、ＰＮＧ圧縮（ステップＳ１６）、ＪＰＥＧ圧縮（ステップＳ１７）、ＭＰＥＧ圧縮（ステップＳ１８）、ベクトル量子化（ステップＳ１９）のいずれかを選択する。このような選択は画像の領域毎に行って圧縮するものとする。
【００２７】
このように圧縮する画像がどのアプリケーションが表示している領域か検出することで、最適な圧縮方式を選択できる。従って本実施の形態によれば、画像の劣化を抑えながら、画像を高速に、容量をより小さく圧縮することができる。
【００２８】
なお、本実施の形態では、部分毎に分割して、アプリケーションを検出し、夫々に圧縮を行う方法について説明したが、例えば図４の変化領域２５を分割せずに１度に圧縮する方法でもよい。その場合の圧縮方式の選択は、例えば図５のリストにおいて、登録プログラムを上から順に優先し、変化領域２５が文書作成ソフトＡに少しでも含まれる場合はＰＮＧ圧縮を選択し、変化領域が文書作成ソフトＡに含まれず、画像表示ソフトＢに少しでも含まれる場合はＪＰＥＧ圧縮を選択するという方法を用いてもよい。
【００２９】
また、本実施の形態では、登録するアプリケーションとして文書作成ソフト、画像表示ソフト、動画表示ソフトの例について説明したが、これに限るものではない。また図５のリストはあらかじめ登録しておいてもよいし、使用者によって書き換え可能にしてもよい。
【００３０】
また、画面全体を取り込み、変化点を検出する方法の例について説明したが、動作しているアプリケーション通知や動作しているアプリケーションの画面更新の通知を受けて動作しているアプリケーションを検出し動作する方法としてもよい。
【００３１】
また、本実施の形態では圧縮方式の例としてＰＮＧ圧縮、ＪＰＥＧ圧縮、ＭＰＥＧ圧縮、ベクトル量子化を示したが、色数を少なくする方式や、画像の画素数を縮小する方式でもよく、これに限るものではない。
【００３２】
（実施の形態２）
次に本発明の実施の形態２の画像処理方法について説明する。この画像処理方法を実現する装置については前述した実施の形態と同様である。この実施の形態は、画面の領域毎に使用するソフトとその伝送速度とによって圧縮率を決定するようにしたものである。
【００３３】
次に画像処理方法について図６のフローチャートを用いて詳しく説明する。まず、ステップ６１では、ＰＣの画面全体の内容をＰＣのメモリ上に取り込む。ステップＳ６２では、実施の形態１と同様に、取り込んだ画面全体の内容と、前回取り込んだ内容とを比較し、変化点の座標を算出し、変化点が複数の場合それを含む最大の矩形の領域を変化領域とする。ただし、初回は前回に取り込んだ内容が存在しないため、全画面を変化領域とする。ステップＳ６３では変化したアプリケーションを検出する。ここまでの処理は前述した実施の形態１と同様である。例えば算出した変化領域が、ＰＣの画面上で例えば動画再生ソフトＩが表示している領域に含まれている場合には、変化しているプログラムとして動画再生ソフトＩを検出する。ステップ６４では、検出されたアプリケーションが動画再生ソフトかどうかを判断し、動画再生ソフトでなければステップＳ６５においてアプリケーションをリストから検索する。このリストの例を図７に示す。アプリケーションが検出されない場合は、図７のリストでは、その他を選択するものとする。動画再生ソフトＩの場合には、ステップＳ６６にて再生している動画のビットレートを検出する。そしてステップＳ６７において圧縮率を選択する。例えば６４ｋｂｐｓの動画を再生している場合には図８のリストからＪＰＥＧの圧縮率５０が選択される。検出されたアプリケーションが文書作成ソフトＧの場合、ステップＳ６７にて図７のリストを参照し、圧縮率９０が選択される。このように圧縮率を選択した後、ステップＳ６８にてＪＰＥＧ圧縮が行われる。
【００３４】
以上のように、圧縮する画像がどのアプリケーションで表示している領域かを検出することで、最適なＪＰＥＧの圧縮率を選択できる。したがって、文書作成ソフトといった画像に高周波成分が含まれるソフトには圧縮率を下げ、画像歪みを低減し、画像表示ソフトでは圧縮率を上げることで、高速の処理が実現できる。また動画再生ソフトの場合においては、ビットレートにより圧縮率を変えることで、ビットレートが低く画像歪みが大きい画像に対しては、ＪＰＥＧの圧縮率を上げることで、必要以上のビットレートを割り当てることを防げ、高速化が可能である。逆にビットレートが高く画像歪みが小さい画像に対しては、ＪＰＥＧの圧縮率を下げて、画像劣化を防ぐことができる。以上のように、本発明によれば、圧縮する画像がどのアプリケーションが表示している領域か検出することで、最適の圧縮率を選択でき、画像の劣化を抑えながら画像を高速に容量をより小さく圧縮することができる。
【００３５】
なお、本実施の形態では、部分毎に分割してアプリケーションを検出し、夫々に圧縮を行う方法について説明したが、変化領域を分割せずに１度に圧縮する方法でもよい。その場合の圧縮方式の選択は、変化領域に含まれるアプリケーションの中で最も低い圧縮率を選択してもよいし、平均値、中間値を選択してもよく、これに限るものではない。
【００３６】
また、本実施の形態では、登録するアプリケーションとして文書作成ソフト、画像表示ソフト、動画表示ソフトの例について説明したが、これに限るものではない。また図７や図８のリストはあらかじめ登録しておいてもよいし、使用者によって書き換え可能にしてもよい。また、動画表示ソフトの場合ビットレートによって圧縮率を変化させる例について説明したが、例えば再生しているソフトのフォーマットによって圧縮率を変化させてもよく、これに限るものではない。また、画面全体を取り込み、変化点を検出する方法の例について説明したが、動作しているアプリケーション通知や動作しているアプリケーションの画面更新の通知を受けて動作しているアプリケーションを検出し動作するようにしてもよい。また、本実施の形態ではＪＰＥＧ圧縮の例を示したが、これに限るものではない。
【００３７】
（第３の実施の形態）
図９は本発明の実施の形態３による表示システムの構成図である。図９において、９１はプロジェクタ、９２はプロジェクタの画像を映すスクリーン、９３はＰＣ、９４は無線ＬＡＮ送受信器である。この表示システムは、まずＰＣ９３にて表示されている画像をメモリに取り込む。次に、取り込んだ画像を圧縮し、無線ＬＡＮ送受信器９４を介してプロジェクタ９１に送信する。プロジェクタ９１では圧縮された画像を受信し、伸張してその画像をスクリーン９２に表示する。これにより、ＰＣ９３上の画面と同じ画像をスクリーン９２上に表示することができる。ここでＰＣ９３は画像信号を発生する画像信号発生装置であり、無線ＬＡＮ送受信器９４はこうして発生した画像信号を送信する送信装置を構成している。又プロジェクタ９１は送信された画像を受信して表示する表示装置を構成している。
【００３８】
図１０は内部の具体的な構成を示すブロック図である。図１０において、１０１〜１１０はＰＣ側の処理ブロックであり、１１１〜１１５はプロジェクタ側の処理ブロックである。ＰＣ９３は、動作アプリケーション検出手段１０１、一定時間を監視する時間監視手段１０２、動作アプリケーションの表示が行われている領域を画像メモリに取り込む動作部取り込み手段１０３、全画面をメモリに取り込む画面全体取り込み手段１０４、前画面と現画面とを比較し、更新された領域を算出する更新領域算出手段１０５、更新領域の画像を取得する更新記録取得手段１０６、動作アプリケーション検出手段１０１で検出されたアプリケーションに応じて圧縮方式を決定する圧縮方式選択手段１０７、画像を圧縮する画像圧縮手段１０８、更新領域算出手段１０５や圧縮方式選択手段１０７で得られた画像情報をプロジェクタに送信する画像情報送信手段１０９、及び圧縮された画像をプロジェクタ９１に送信する圧縮画像送信手段１１０を含んで構成されている。ここで画像信号送信手段１０９と圧縮画像送信１１０とは、無線ＬＡＮ送受信器９４によって実現される。
【００３９】
一方プロジェクタ９１は、画像情報を受信する画像情報受信手段１１１、圧縮画像を受信する圧縮画像受信手段１１２、圧縮された画像を画像情報受信手段１１１の情報に基づいて伸張する画像伸張手段１１３、画像情報受信手段１１１で得られた画像情報に基づいて前画面から更新された部分のみを画像メモリへ更新する前画面の更新手段１１４、画像メモリの情報を表示する表示手段１１５を含んで構成されている。
【００４０】
以上のように構成した表示システムの動作について説明する。まず動作アプリケーション検出手段１０１はＰＣのアプリケーションが画面に描画する命令を取得することにより動作アプリケーションを検出する。ＰＣ９３上で動作アプリケーション検出手段１０１にて動作しているアプリケーションを検出するか、もしくは動作しているアプリケーションがなく時間監視手段１０２にて例えば１秒といった一定時間が経過した場合に、更新領域算出手段１０５にて前画面と現画面とを比較する。更新領域算出手段１０５における前画面と現画面の比較は、動作しているアプリケーションが検出された場合には、そのアプリケーションが画面上に描画する領域のみを動作部取り込み手段１０３にてメモリに取り込んで、比較する。また一定時間が経過した場合には、画面全体取り込み手段１０４にて全画面をメモリに取り込み、比較する。
【００４１】
比較の結果、更新領域算出手段１０５にて、変化点の座標を取得し、その全てを含む矩形領域を変化領域として算出する。その矩形領域の画像のデータを更新領域取得手段１０６にて取得し、画像圧縮手段１０８に渡す。また、動作しているアプリケーションの情報を用いて、圧縮方式選択手段１０７にて圧縮方式を選択し画像圧縮手段１０８へ渡す。画像圧縮手段１０８はその情報に基づいて画像を圧縮する。圧縮方式の選択方法については後述する。更新領域算出手段１０５で算出された矩形領域の左上座標と右下座標、圧縮方式選択手段１０７で選択された圧縮方式の情報は、画像情報送信手段１０９にてプロジェクタ９１へ送信する。画像圧縮手段１０８で圧縮された画像データは、圧縮画像送信手段１１０にてプロジェクタ９１へ送信する。
【００４２】
プロジェクタ９１では、画像情報受信手段１１１にて画像情報を取得し、圧縮画像受信手段１１２にてＰＣ９３からの圧縮画像を取得し、画像情報に基づいて画像伸張手段１１３にて画像を伸張する。その後画像情報受信手段１１１の画像情報にて得られた座標に対応するプロジェクタ９１の画像メモリの位置に伸張した画像データを更新手段１１４にて更新し、表示手段１１５にてプロジェクタ９１の画像メモリの情報を表示する。以上の構成により、ＰＣ９３上で表示している画像と同じ画像をプロジェクタ９１で投影することができる。
【００４３】
次に、圧縮方式選択手段１０７の動作について詳しく説明する。圧縮方式選択手段１０７は動作アプリケーション検出手段１０１にて検出されたアプリケーションに応じて、実施の形態１と同様に例えば図１１のようなリストから圧縮方式を選択する。アプリケーションが検出されない領域では、図１１のリストでは、その他が選択されるものとする。
【００４４】
図１１で示したリストは、アプリケーションの種類に応じて圧縮方式を対応付けてある。例えば、検出したプログラムが文書作成ソフトＭであれば、リストが参照され、ＰＮＧ圧縮方式が選択される。文書を作成するプログラムの場合、表示される画像は色数が少ないことが多く、ＰＮＧ圧縮を用いることで高速かつ歪なしに圧縮後の容量を抑えることができるため、図１１のリストでは文書作成ソフトＭおよび文書作成ソフトＰをＰＮＧ圧縮に対応付けをしている。また画像表示ソフトの場合、自然画を扱うことが多いため、自然画に適したＪＰＥＧ圧縮を用いるように、また動画表示ソフトの場合、自然画かつ前画面との相関があることが多いため、ＭＰＥＧ圧縮のようにフレーム間差分を用いる圧縮方式を選択する。又背景画像ではＪＰＥＧ圧縮を選択する。
【００４５】
したがって、本発明によれば、動作しているアプリケーションに応じて最適な圧縮方式を選択できるため、伝送路の伝送容量が小さい場合にも、画像劣化を抑えて高速に動作する画像表示システムを提供することができる。
【００４６】
なお、本実施の形態では、登録するアプリケーションとして文書作成ソフト、画像表示ソフト、動画表示ソフトの例について説明したが、これに限るものではない。また図１１のリストはあらかじめ登録しておいてもよいし、使用者によって書き換え可能にしてもよい。
【００４７】
また、動作しているアプリケーションの画面更新の通知を受けて動作しているアプリケーションを検出する方法について説明したが、画面全体を取り込み、変化領域を検出することにより動作しているアプリケーションを判別する方法としてもよい。
【００４８】
また、本実施の形態ではＰＮＧ圧縮、ＪＰＥＧ圧縮、ＭＰＥＧ圧縮といった圧縮形式の例を示したが、色数を少なくする方式や、画像の画素数を縮小する方式でもよく、これに限るものではない。
【００４９】
【発明の効果】
以上に説明したように、本発明によれば、画像の劣化を抑えながら、画像を高速に、容量をより小さく圧縮する画像処理方法および画像表示システムを提供することができる。
【図面の簡単な説明】
【図１】本発明の実施の形態１による画像処理方法の動作を示すフローチャート
【図２】本発明の実施の形態１を実行する画像処理装置を示すブロック図
【図３】本発明の実施の形態１における動作を説明するための模式図
【図４】本発明の実施の形態１における変化したアプリケーションを検出する方法を説明するための模式図
【図５】本発明の実施の形態１における圧縮方式の選択方法を説明するためのリスト
【図６】本発明の実施の形態２による画像処理方法の動作を示すフローチャート
【図７】本発明の実施の形態２における圧縮率の選択方法を説明するためのリスト
【図８】本発明の実施の形態２における動画ソフトの圧縮率の選択方法を説明するためのリスト
【図９】本発明の実施の形態３を説明するための構成図
【図１０】本発明の実施の形態３の動作を説明するためのブロック図
【図１１】本発明の実施の形態３における圧縮方式の選択方法を説明するためのリスト
【図１２】従来の画像処理装置の構成を示すブロック図
【符号の説明】
２２  文書作成ソフトＡの表示領域
２３  動画再生ソフトＥの表示領域
２４  背景領域
２５  変化領域
９１  プロジェクタ
９２  スクリーン
９３  パーソナルコンピュータ（ＰＣ）
９４  無線ＬＡＮ送受信器
１０１  動作アプリケーション検出手段
１０２  時間監視手段
１０７  圧縮方式選択手段
１０８  画像圧縮手段
１０９  圧縮画像送信手段
１１２  圧縮画像受信手段
１１３  画像伸張手段
【図１】
2004312584.tif 000003
【図２】
2004312584.tif 000004
【図３】
2004312584.tif 000005
【図４】
2004312584.tif 000006
【図５】
2004312584.tif 000007
【図６】
2004312584.tif 000008
【図７】
2004312584.tif 000009
【図８】
2004312584.tif 000010
【図９】
2004312584.tif 000011
【図１０】
2004312584.tif 000012
【図１１】
2004312584.tif 000013
【図１２】
2004312584.tif 000014